(57)【要約】【課題】電気、流体などを駆動源とする動力を用いることなく、遮水体を押し上げて、敷地内への浸水を防止できるようにする。【解決手段】本発明に係る遮水装置１は、敷地Ｂに繋がる通路Ａの地中に配置される膨張部材２であって、汲水に伴って膨張する膨張部材２と、該膨張部材２上に配置される遮水体４であって、常態においては地面に沿い、浸水時においては膨張部材２の膨張に伴って地表から上方に出る遮水体４とを備える。【選択図】図４
2016132861.tif 000002
【特許請求の範囲】
【請求項１】
敷地に繋がる通路の地中に配置される膨張部材であって、汲水に伴って膨張する膨張部材と、該膨張部材上に配置される遮水体であって、常態においては地面に沿い、浸水時においては膨張部材の膨張に伴って地表から上方に出る遮水体とを備えたことを特徴とする遮水装置。
【請求項２】
地中における膨張部材の配置領域よりも通路側に取水口が設けられ、該取水口から前記配置領域に水を導水する取水路を備えることを特徴とする請求項１に記載の遮水装置。
【請求項３】
前記遮水体は、常態において地面に沿う路面構成部と、膨張部材の膨張に伴って地表から上方に出る遮水部と、路面構成部と遮水部との間を連結する連結部とで構成されることを特徴とする請求項１又は２に記載の遮水装置。
【請求項４】
前記配置領域には、通路側に向かうにしたがって下降傾斜する壁面が形成されることを特徴とする請求項１乃至３のいずれか１項に記載の遮水装置。
【発明の詳細な説明】
【技術分野】
【０００１】
本発明は、台風や大雨により近隣の河川が増水した場合、電気所などが設置されている敷地内への浸水を防止するための遮水装置に関する。
【背景技術】
【０００２】
台風や大雨により近隣の河川が増水して、電気所などが設置されている敷地内が浸水すると、電気事故が発生する恐れがある。現況としては、敷地内への浸水を防止するために、敷地に繋がる通路に鉄製の浸水防止用の遮水体を設置している。
【０００３】
ところで、前記遮水体を駆動させる手段として、電気を駆動源にして機械的に駆動させる遮水装置がある。該遮水装置は、例えば、水を検知するセンサと、該センサの検知信号によって駆動する電動モータと、浸水時における電動モータの駆動によって上動する遮水体と、電動モータの動力を遮水体に伝達するチェーン機構とを備える（特許文献１参照）。
【先行技術文献】
【特許文献】
【０００４】
【特許文献１】特開２００３−８２９５６号公報
【発明の概要】
【発明が解決しようとする課題】
【０００５】
ところで、前記遮水装置は、電気を駆動源にしているため、浸水があった場合、電気を供給する装置が浸水によって故障する可能性がある。
【０００６】
そこで、本発明は、上記問題に鑑み、電気、流体などを駆動源とする動力を用いることなく、遮水体を押し上げて、敷地内への浸水を防止できるようにした遮水装置を提供することを目的とする。
【課題を解決するための手段】
【０００７】
本発明に係る遮水装置は、敷地に繋がる通路の地中に配置される膨張部材であって、汲水に伴って膨張する膨張部材と、該膨張部材上に配置される遮水体であって、常態においては地面に沿い、浸水時においては膨張部材の膨張に伴って地表から上方に出る遮水体とを備えたことを特徴とする。
【０００８】
かかる構成によれば、汲水によって膨張部材が膨張し、遮水体を地表から上方に押し上げる。そして、押し上げられた遮水体によって敷地内へ浸水する水が遮られて、敷地内への浸水を防止できる。
【０００９】
本発明に係る遮水装置の一態様として、地中における膨張部材の配置領域よりも通路側に取水口が設けられ、該取水口から前記配置領域に水を導水する取水路を備えることが好ましい。
【００１０】
本発明に係る遮水装置の他態様として、前記遮水体は、常態において地面に沿う路面構成部と、膨張部材の膨張に伴って地表から上方に出る遮水部と、路面構成部と遮水部との間を連結する連結部とで構成されることが好ましい。
【００１１】
かかる構成によれば、路面構成部と遮水部と連結部とで囲まれた空間内によって、膨張部材が囲まれるようになる。したがって、浸水があっても、膨張部材が水流によって流されることがない。
【００１２】
本発明に係る遮水装置の他態様として、前記配置領域には、通路側に向かうにしたがって下降傾斜する壁面が形成されることが好ましい。
【００１３】
かかる構成によれば、通路側に向かうにしたがって下降傾斜する壁面によって、膨張部材の通路側が大きくなるように地表から上方に押し上げられるため、敷地内への浸水を有効に阻止できる。
【発明の効果】
【００１４】
以上のように、本発明によれば、電気、流体などを駆動源とする動力を用いることなく、遮水体を押し上げて、敷地内への浸水を防止することができる。
【図面の簡単な説明】
【００１５】
【図１】図１は、本発明の一実施形態に係る遮水装置を示す平面図である。
【図２】図２は、同実施形態に係る遮水装置の側断面図である。
【図３】図３は、膨張部材の膨張によって、遮水体が開き始める状態を示す図である。
【図４】図４は、遮水体が開いて浸水を防止している状態を示す図である。
【図５】図５は、本発明の他実施形態に係る遮水装置を示す側断面図である。
【発明を実施するための形態】
【００１６】
本発明の一実施形態に係る遮水装置について図１〜図４を参照して説明する。
【００１７】
図１及び図２に示す如く、本実施形態に係る遮水装置１は、膨張部材２と、遮水体４とを備える。
【００１８】
膨張部材２は、敷地Ｂに繋がる通路Ａの地中に配置されている。具体的には、地中に形成された凹状の配置領域３に収容されている。そして、膨張部材２としては、高分子ポリマーが使用される。この膨張部材２は、汲水作用によって膨張して遮水体４を地表よりも上方に押し上げる。また、膨張部材２は、略三角柱の形状を呈しており、敷地Ｂ側よりも通路Ａ側が分厚くなっている。したがって、膨張部材２は、後述する収容凹部の壁面３０との相乗効果で、遮水体４の通路Ａ側が大きく押し上げられるとともに、遮水体４を容易に且つ迅速に押し上げることができる。
【００１９】
配置領域３は、通路Ａの地中に形成された収容凹部であり、この収容凹部は、側壁と底壁とで画定されている。そして、収容凹部の開口３ａが遮水体４によって開閉される。また、配置領域３の敷地Ｂ側の壁面３０は、通路Ａ側に向かうにしたがって下降傾斜している。この壁面３０によって、膨張部材２が配置領域３の開口３ａから上方に向かって押し上げられて、膨張部材２の通路Ａ側が大きく膨張するようになる。そうすることで、遮水体４が通路Ａの路面よりも上側に押し上げられるようになり、敷地Ｂ側への浸水を防止することができる。
【００２０】
遮水体４は、敷地Ｂ側の端部４ａが軸４００によって回転可能に支持される。これにより、膨張部材２が配置される地中の配置領域３に流入する水が、遮水体４の敷地Ｂ側の端部４ａから漏れ出るのを防止できるため、遮水効果が向上する。
【００２１】
また、遮水体４は、断面がＬ字形状を呈している。具体的に説明すると、路面構成部４０と、遮水部４１と、連結部４２とを備える。
【００２２】
路面構成部４０は、平板状で、常態において地面に沿うように配置され、配置領域３の開口３ａを閉塞し、膨張部材２上に配置される。
【００２３】
遮水部４１は、路面構成部４０の通路Ａ側の端部から垂設され、浸水時、膨張部材２の膨張に伴って地表から上方に出る。そうすることで、通路Ａ側から敷地Ｂ側への浸水を阻止している。
【００２４】
連結部４２は、路面構成部４０と遮水部４１との間を連結する。具体的には、路面構成部４０と遮水部４１との空間が閉じられて、路面構成部４０と遮水部４１との連結が浸水に対し補強される。
【００２５】
そして、膨張部材２は、路面構成部４０と遮水部４１と連結部４２とで囲まれた空間Ｓ内に収容される。したがって、膨張部材２は、浸水があっても、路面構成部４０と遮水部４１と連結部４２とで囲まれているので、水流によって流されることがない。
【００２６】
また、遮水装置１は、取水路５をさらに備える。この取水路５は、通路Ａと配置領域３とを繋ぐ導管で構成される。そして、取水路５は、配置領域３よりも通路Ａ側に取水口５ａを有し、該取水口５ａから配置領域３に水を導水する。すなわち、膨張部材２に水を導水する。
【００２７】
つぎに本実施形態に係る遮水装置１の使用態様について説明する。まず、遮水体４を開いて、配置領域３の開口３ａを開く。
【００２８】
つぎに、配置領域３に膨張部材２を入れて、遮水体４を閉じる。
【００２９】
そして、台風や大雨などで浸水があった場合、通路Ａに浸水した水が取水路５を通って配置領域３に流入すると、流入した水が膨張部材２によって汲水されて、膨張部材２が膨張する。
【００３０】
膨張部材２が膨張し始めると、図３に示す如く、遮水体４は通路Ａの地表（路面）から少し上方に押し上げられる。
【００３１】
膨張部材２がさらに膨張すると、図４に示す如く、膨張部材２は、通路Ａ側が敷地Ｂ側よりも大きく膨張する。これによって、遮水体４が通路Ａの路面から上側に向かって大きく押し上げられて、敷地Ｂ側に向かう通路Ａ内の水が遮水体４によって遮られる。
【００３２】
具体的に説明すると、通路Ａ側に向かうにしたがって下降傾斜している配置領域３の壁面３０と、通路Ａ側が敷地Ｂ側よりも分厚くなっている膨張部材２の形状とによって、膨張部材２が収容凹部の開口３ａから上側に向かって容易に且つ迅速に押し上げられる。
【００３３】
このように、本実施形態に係る遮水装置１によれば、電気、流体などを駆動源とする動力を用いることなく、遮水体４を地表よりも上方に持ち上げて、通路Ａから敷地Ｂ内への浸水を防止することができる。
【００３４】
なお、本実施形態に係る遮水装置１は、前記実施形態に限定することなく種々変更することができる。
【００３５】
例えば、前記実施形態の場合、遮水体４と通路Ａの両側の壁面との間には、敷地Ｂ側への浸水を遮水する部材を配置しなかったが、遮水ブロックを配置するようにしてもよい。
【００３６】
また、前記実施形態の場合、三角柱状の膨張部材２を使用するようにしたが、複数の膨張部材２を、通路Ａ側が敷地Ｂ側よりも分厚くなるように積み重ねるようにしてもよい。
【００３７】
また、前記実施形態の場合、断面がＬ字形状の遮水体４を、通路Ａ側が大きく押し上げられるようにしたが、図５に示す如く、通路Ａ側の端部４０Ａが回転可能に支持される平板状の遮水体４Ａを設けるようにしてもよい。この場合、遮水体４Ａは、敷地Ｂ側が通路Ａ側よりも大きく押し上げられる。
【符号の説明】
【００３８】
１…遮水装置、２…膨張部材、３…配置領域、３…遮水体、３…収容凹部、３ａ…開口、４…遮水体、４Ａ…遮水体、４ａ…端部、５…取水路、５ａ…取水口、３０…壁面、４０…路面構成部、４０Ａ…端部、４１…遮水部、４２…連結部、４００…軸、Ａ…通路、Ｂ…敷地、Ｒ…通路、Ｓ…空間
【図１】
2016132861.tif 000003
【図２】
2016132861.tif 000004
【図３】
2016132861.tif 000005
【図４】
2016132861.tif 000006
【図５】
2016132861.tif 000007